(57)【要約】【課題】竪樋の設置が容易で施工性に優れるとともに、施工後に容易に外れることがなく、かつ、設置後の竪樋のメンテナンス性に優れた竪樋用控え具を提供すること。【解決手段】建物の外壁面８に固定される支持固定部２と、この支持固定部に接続される受け部３と、受け部に接続されて竪樋８を把持する把持部４を備えた竪樋用控え具１であって、受け部は、両端が外壁面よりも前方に向かう円弧状で、その一端には把持部に接続するヒンジ５が設けられ、把持部は、中央部が外壁面よりも前方に向かう円弧状で、その一端には受け部と接続されるヒンジが設けられるとともに、他端には、支持固定部に嵌合可能な回動部材６が支持固定部の上方から被せられるように回動自在に配設され、回動部材には、支持固定部との嵌合を離脱させるための指掛け部６３が設けられている。【選択図】図１
2017106202.tif 000002
【特許請求の範囲】
【請求項１】
建物の外壁面に固定される支持固定部と、この支持固定部に接続される受け部と、受け部に接続されて竪樋を把持する把持部を備えた竪樋用控え具であって、
前記受け部は、両端が前記外壁面よりも前方に向かう円弧状で、その一端には前記把持部に接続するヒンジが設けられ、
前記把持部は、中央部が前記外壁面よりも前方に向かう円弧状で、その一端には前記受け部と接続されるヒンジが設けられるとともに、
他端には、前記支持固定部に嵌合可能な回動部材が前記支持固定部の上方から被せられるように回動自在に配設され、
前記回動部材には、前記支持固定部との嵌合を離脱させるための指掛け部が設けられていることを特徴とする竪樋用控え具。
【請求項２】
前記受け部のヒンジと反対側の端部は、竪樋の外周側に沿った曲面形状に形成された内押え部が設けられていることを特徴とする請求項１に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。
【０００３】
この竪樋用控え具としては、竪樋を抱持して支持するために、外壁面に固定する固定部とその前方に設けられた半円弧状の受け部と、この受け部の一端にヒンジにより結合された開閉自在の蓋体とを備えた構造のものが知られている（特許文献１を参照）。
【０００４】
このような構造の竪樋用控え具を用いた竪樋の設置では、まず蓋体を開いた状態で半円弧状の受け部の内側に竪樋を載置し、その状態で蓋体を閉めて受け部と蓋体の端部を係止することにより、竪樋を把持させて設置することができるとされている。
【０００５】
一方、近年、住宅用の竪樋用控え具に関しては、竪樋の設置が容易で、施工性に優れ、更に、施工後には簡単には外れない竪樋控え具が要求されている。
【先行技術文献】
【特許文献】
【０００６】
【特許文献１】特開２００３−２９３５３３号公報
【発明の概要】
【発明が解決しようとする課題】
【０００７】
これに対し、上記特許文献１に記載の竪樋控え具では、受け部が半円弧状の形状をしているため、竪樋を取付ける際に、受け部の内側に竪樋を載置して、手で竪樋を外壁面側に押さえ付けた状態で蓋体を閉める必要があり、非常に作業性が悪いという問題があった。
【０００８】
また、受け部と蓋体とは、それぞれの一端を接合するヒンジの反対側の側面に設けられた係止部により係止されるため、竪樋の設置後に側面側から衝撃が加わった場合に係止部が外れて竪樋を確実に保持できない状態となる場合があった。
【０００９】
本発明は、上記従来の問題点に鑑みてなされたものであり、竪樋の設置が容易で施工性に優れるとともに、施工後に衝撃が加わった場合にも簡単には外れることがなく、かつ、設置後の竪樋のメンテナンス性に優れた竪樋用控え具を提供することを課題とする。
【課題を解決するための手段】
【００１０】
本発明は、上記の課題を解決するために、以下のことを特徴としている。
【００１１】
すなわち、本発明の竪樋用控え具は、建物の外壁面に固定される支持固定部と、この支持固定部に接続される受け部と、受け部に接続されて竪樋を把持する把持部を備えた竪樋用控え具であって、前記受け部は、両端が前記外壁面よりも前方に向かう円弧状で、その一端には前記把持部に接続するヒンジが設けられ、前記把持部は、中央部が前記外壁面よりも前方に向かう円弧状で、その一端には前記受け部と接続されるヒンジが設けられるとともに、他端には、前記支持固定部に嵌合可能な回動部材が前記支持固定部の上方から被せられるように回動自在に配設され、前記回動部材には、前記支持固定部との嵌合を離脱させるための指掛け部が設けられていることを特徴とする。
【発明の効果】
【００１２】
本発明によれば、竪樋の設置が容易で施工性に優れるとともに、施工後に衝撃が加わった場合にも簡単には外れることがなく、かつ、設置後の竪樋のメンテナンス性に優れた竪樋用控え具を提供することが可能となる。
【図面の簡単な説明】
【００１３】
【図１】本発明の竪樋用控え具の一実施形態の概略斜視図である。
【図２】本発明の竪樋用控え具の一実施形態の概略平面図である。
【図３】竪樋を取り付けた状態を示す概略斜視図ある。
【発明を実施するための形態】
【００１４】
本発明の竪樋用控え具について、図面に基づいて以下に詳述する。図１は、本発明の竪樋用控え具の一実施形態を示した概略斜視図であり、図２はその概略平面図である。また、図３は竪樋を取り付けた状態を示す概略斜視図である。
【００１５】
図１、図２、図３に示すように、竪樋用控え具１は、建物の外壁面７に固定される支持固定部２と、この支持固定部２に接続される受け部３と、受け部３に接続されて竪樋８を把持する把持部４を備えた竪樋用控え具１である。
【００１６】
そして、受け部３は、両端が外壁面７よりも前方に向かう円弧状で、受け部３の一端には把持部４と接続するヒンジ５が設けられている。一方、把持部４は、その中央部が外壁面７よりも前方に向かう円弧状である。そして、把持部４には、一端にこの受け部３と接続されるヒンジ５と、他端に、支持固定部２に嵌合可能な回動部材６が設けられている。回動部材６は、支持固定部２に対して上方から被せられるように回動自在とされている。また、回動部材６には、支持固定部２との嵌合を離脱させるための指掛け部６３が設けられている。
【００１７】
支持固定部２には、建物の外壁面７に固定するための固定部２１と、回動部材６に嵌合して係止するための被嵌合部２２と、受け部３に接続してこれを支持するための支持部２３が設けられている。
【００１８】
支持固定部２の外壁面７側に設けられた固定部２１は、建物の外壁面７に打ち込み又はねじ込んで竪樋用控え具１を固定させるためのものである。固定部２１の形状は、竪樋用控え具１が建物の外壁面７から容易に外れないように固定できればその形状や長さは限定されるものではなく、例えば、先端が尖った釘状や、タッピンねじ等の形状とすることができる。
【００１９】
また、確実に外れないようにするために、予め建物の外壁面７に孔を開けておき、その孔にアンカー等を設け、固定部２１を外壁面７の孔へ垂直に突き刺してねじ込む等して固定することもできる。
【００２０】
支持固定部２の固定部２１とは反対側の端部の支持部２３は、受け部３に強固に接続されて受け部３を支持するためのものである。
【００２１】
支持部２３による受け部３への接続は、容易には外れないものであればその方法は特に制限はなく、接着剤、溶着等による接続固定や、ネジ等により接続固定することができる。また、支持固定部２と受け部３を一体に成形することもできる。
【００２２】
固定部２１と支持部２３の間の中間部分に設けられている被嵌合部２２は、後述する回動部材６の嵌合部６２と嵌合して係止するためのものである。例えば、図３に示すように、支持固定部２を外壁面７に固定した状態において、外壁面７から露出するように配置される。
【００２３】
支持固定部２に固定される受け部３は、長手方向に一定の幅を有する円弧状の湾曲形状に形成され、この円弧状に湾曲した受け部３の内周面が、竪樋８の外周面の一部を支持する円弧状支持面３１となっている。即ち、受け部３は、支持固定部２を介して建物の外壁面７に固定され、円弧状支持面３１によって円筒状の竪樋８を建物側の後方より支持する役割を担っている。
【００２４】
受け部３の一端には、把持部４と接続するための連結部としてヒンジ５が設けられている。ヒンジ５の構造は、受け部３と把持部４とが回動自在に強固に接続されるものであれば特に限定されるものではなく、例えば、受け部３と把持部４の端部に、一対の円筒形の軸受部を設け、軸受部を軸支した構造を例示することができる。
【００２５】
本実施形態の竪樋用控え具１においては、受け部３のヒンジ５と反対側の端部に、竪樋８の外周側に沿った曲面形状に形成された内押え部３２を設けるのが好ましい。
【００２６】
内押え部３２は、例えば、受け部３の円弧状支持面３１を延長して形成され、弾性的な撓み変形が可能な可撓性を有する材質により形成されている。可撓性の材質としては、例えば、可撓性樹脂薄板、ステンレス、アルミニウム等の金属薄板、ＦＲＰ薄板、ゴム薄板等を挙げることができる。
【００２７】
内押え部３２の形状は、竪樋８の外周側に沿った長手方向に湾曲した曲面形状に形成されており、その長さは、内押え部３２を含む円弧状支持面３１全体の円弧長として、配設する竪樋８の長手方向断面の円周における半周以上の円弧長に設定するのが好ましい。また、内押え部３２の曲面形状の曲率は、竪樋８の長手方向断面の円周の曲率より若干小さく設定しておくのが好ましい。
【００２８】
このように、内押え部３２を可撓性を有する材質により形成し、円弧状支持面３１全体の円弧長を竪樋８の断面半周以上とし、更に曲率を小さくすることで、施工の際、把持部４により固定しない状態でも、竪樋８を受け部３に嵌め込んで仮留めすることができる。これにより、施工の際に竪樋８を手で受け部３に押さえつける必要がなくなるため、竪樋８の設置施工の作業性を飛躍的に向上させることができる。
【００２９】
把持部４は、受け部３により支持、或いは仮留めされた竪樋８を強固に把持する部材である。把持部４は、その一端がヒンジ５で回動自在とされて、ヒンジ５を介して受け部３の一端に連結されている。そして、把持部４では、他端に向かって円弧状に湾曲して延びる内周面を竪樋８の外周面とほぼ同一の径を持つ湾曲状支持面４１としている。
【００３０】
把持部４の材質は、経年の使用に対しても劣化が少ない材質のものであれば特に制限されるものではないが、内押え部３２と同様に可撓性を有する材質とするのが好ましい。把持部４を可撓性を有する材質とすることにより、取り付ける竪樋８の径に自由度を持たせることができる。
【００３１】
また、前記の湾曲状支持面４１を有する把持部４は、ヒンジ５とは反対側の端部に向かって、把持部４を閉じた状態において、受け部３の内押え部３２の外側に重なるようにしている。この重なりが可能とされる把持部４には、例えば、外壁面７に向かってほぼ垂直に延びる片部４２が設けられており、片部４２の最端部には前記の回動部材６を取り付けるための取付け部４３が設けられている。
【００３２】
回動部材６は、この取付け部４３に回動自在に接続され、支持固定部２の被嵌合部２２に対して上方から被せられるように嵌合されて把持部４が被嵌合部２２に固定される。取付け部４３と回動部材６の接続は、例えば、把持部４を閉じた状態において、取付け部４３に支持固定部２の長手方向と平行に軸支することで可能となる。即ち、回動部材６の軸受部６１に軸を挿入して軸支することができる。
【００３３】
把持部４を閉じた状態において、回動部材６を支持固定部２の被嵌合部２２に対して上方から被せるように回動させたときに、被嵌合部２２に嵌合部６２が当接して嵌合される。この場合の嵌合部６２が回動部材６に設けられている。嵌合部６２の形状は、被嵌合部２２に対して回動部材６を上方から被せて下方に押圧したときに嵌り合うように、例えば、鋭角に変形したクリップ状の形状とし、嵌り合った嵌合部６２と被嵌合部２２は、容易に外れないようにする。
【００３４】
また、回動部材６の軸受部６１とは反対側の端部には、支持固定部２との嵌合を離脱させるための指掛け部６３が設けられる。この指掛け部６３は、施工後に嵌合部６２と被嵌合部２２との嵌合を解除して離脱させることを容易とするために設けられる。作業者の指を掛けて、嵌合している回動部材６を上方に向けて引き上げやすい形状とされている。指掛け部６３を設けることにより、施工後の竪樋８のメンテナンス性を向上させることができる。
【００３５】
また、指掛け部６３の形状は、竪樋８の取付け施工時において嵌合部６２と被嵌合部２２の嵌合を容易にするために、作業者の指を掛けて、下方に向けて引き下げやすい形状に形成することも考慮される。
【００３６】
本実施形態の竪樋用控え具１においては、ヒンジ５及び回動部材６の取付け位置は、把持部４の中心軸よりも外壁面７に寄った部分に形成することが好ましい。ここで、把持部４の中心軸とは、把持する竪樋８の断面中心軸を意味している。
【００３７】
このように、把持部４の中心軸よりも外壁面７側の位置にヒンジ５及び回動部材６を設けることにより、施工後に、竪樋用控え具１の前方や側面から衝撃が加わった場合でも、ヒンジ５や回動部材６に直接影響がないため、ヒンジ５が破損したり回動部材６が外れることが発生しにくい。
【００３８】
以上のように構成した竪樋用控え具１によって、建物の外壁面７に沿って竪樋８を以下の手順により固定する。
【００３９】
竪樋８を設置しようとする建物の外壁面７に、その長さ方向の所定部分毎に、複数の竪樋用控え具１を直列に設置する。竪樋用控え具１の設置は、外壁面７に対して支持固定部２の固定部２１を打ち込み又はねじ込むことにより設置する。
【００４０】
次に、ヒンジ５により受け部３に水平方向に回動自在に取り付けている把持部４において、その端部に設けられた回動部材６の嵌合部６２と支持固定部２の被嵌合部２２の嵌合を解除しておき、把持部４を開いた状態としておく。
【００４１】
そして、この開いた状態で、受け部３に竪樋８の外周面を嵌め込む。この際、竪樋８の外周面は、受け部３に設けられた弾性を有する内押え部３２を含む円弧状支持面３１により圧接して支持される。これにより、竪樋８の外周面の一部が弾性的に仮留めされる。
【００４２】
次に、この状態で、開放している把持部４をヒンジ５によって回動させて閉じ、受け部３によって支持されていない竪樋８の前面側の一部を覆う。
【００４３】
そして、図３にも示したように、把持部４に設けられている回動部材６を支持固定部２の被嵌合部２２に対して上方から被せるように回動して回動部材６の嵌合部６２と被嵌合部２２を嵌め合い嵌合させる。これにより、竪樋８が、把持部４の湾曲状支持面４１と、受け部３の円弧状支持面３１とで形成された環状空間内に挿通した状態で、受け部３と把持部４とにより抱き込むように固定される。
【００４４】
本実施形態の竪樋用控え具１は、受け部３に弾性を有する内押え部３２を備えているため、内押え部３２を含む円弧状支持面３１により、設置する竪樋８の側面を圧接して支持して仮留めすることができる。そのため、この仮留めの段階では竪樋８の前面側を手で押さえる必要がないため、非常に安定的かつ効率的に取付け施工をすることができる。また、この仮留め段階で、竪樋８の取付け位置修正等が容易になるため、施工後の竪樋８の取り付け状態を従来に比べて飛躍的に良好なものとすることができる。
【００４５】
また、本実施形態の竪樋用控え具１においては、竪樋８の固定が内押え部３２を含む円弧状支持面３１により簡易的に把持しており、更に把持部４により強固に把持するため従来に比べてがたつきのない安定かつ強固な固定を可能とすることができる。
【００４６】
以上、本発明の竪樋用控え具１を一実施形態に基づいて説明したが、本発明は上記の実施形態に限定されるものではなく、その要旨を逸脱しない範囲内において種々の変形、変更が可能である。
【００４７】
例えば、上記実施形態では、取付け部４３と回動部材６の接続は、取付け部４３に設けた軸を回動部材６に設けた軸受部に挿入して軸支して回動自在に接続しているが、例えば、ねじ等により、取付け部４３に回動部材６を回動自在に接続することもできる。
【００４８】
また、外壁面７に対する支持固定部２の固定を先端部に設けた固定部２１の打ち込みやねじ込みにより行っているが、例えば、固定部２１を取り付け孔を形成した矩形の板状部とし、取り付け孔を介して釘やネジにより外壁面７に固定することもできる。
【００４９】
上記の構成を有する本発明の竪樋用控え具１によれば、竪樋８の設置が容易で施工性に優れるとともに、施工後に容易に外れることがなく、かつ、設置後の竪樋８のメンテナンス性に優れた竪樋用控え具１とすることができる。
【符号の説明】
【００５０】
１  竪樋用控え具
２  支持固定部
３  受け部
３２  内押え部
４  把持部
５  ヒンジ
６  回動部材
６３  指掛け部
７  外壁面
８  竪樋
【図１】
2017106202.tif 000003
【図２】
2017106202.tif 000004
【図３】
2017106202.tif 000005